(57)【特許請求の範囲】
【請求項１】
流入した排水を貯留する貯留空間を有し、軸心が上流から下流に向かって下向きに傾斜するように配置された管状の貯留部と、
前記貯留部の軸方向の一端に設けられ前記上流からの前記排水が流入する流入口部と、
前記貯留部の軸方向の他端において前記流入口部より低い位置に設けられ前記貯留部の前記排水を前記下流へ流出させる流出口部と、
前記貯留部の側面に形成され、中心が前記流入口部の中心より上方に位置し、前記排水を前記貯留部外に越流させる越流口部と、
を備える貯留槽。
【請求項２】
上面に他の部分より高さが低い凹部が形成されており、流入した排水を貯留する貯留空間を有し、軸心が上流から下流に向かって下向きに傾斜するように配置された管状の貯留部と、
前記貯留部の軸方向の一端に設けられ前記上流からの前記排水が流入する流入口部と、
前記貯留部の軸方向の他端において前記流入口部より低い位置に設けられ前記貯留部の前記排水を前記下流へ流出させる流出口部と、
前記凹部に形成され、中心が前記流入口部の中心より上方に位置し、前記排水を前記貯留部外に越流させる越流口部と、
を備える貯留槽。
【請求項３】
前記貯留部は複数設けられており、
複数の前記貯留部の前記越流口部は、それぞれ連通されている、請求項１又は２に記載の貯留槽。
【請求項４】
前記流出口部は前記貯留部の端面に設けられており、
前記越流口部は、前記流出口部が設けられている前記貯留部の端面に対向する端面に設けられている、請求項１〜３のいずれか１項に記載の貯留槽。
【請求項５】
前記流出口部は前記貯留部の端面に設けられており、
前記流入口部は、前記流出口部が設けられている前記貯留部の端面に対向する端面に設けられている、請求項１〜４のいずれか１項に記載の貯留槽。
【請求項６】
前記越流口部には越流管が接続されており、前記越流管には通気口部が設けられている、請求項１〜５のいずれか１項に記載の貯留槽。
【発明の詳細な説明】
【技術分野】
【０００１】
本発明は、特にサイホン排水システムに用いられる貯留槽に関する。
【背景技術】
【０００２】
例えば特許文献１に示すように、サイホン力を利用した排水システムにおいて、水廻り器具と横引き管との間にチャンバーを設け、水廻り器具からの排水をサイホンの開始時間までチャンバーに一時的に貯留する構成が知られている。
【先行技術文献】
【特許文献】
【０００３】
【特許文献１】特開２００６−３３６３２２号公報
【発明の概要】
【発明が解決しようとする課題】
【０００４】
特許文献１に示す排水システムでは、チャンバーの上面にチャンバー内のエアを抜くためのエア抜きパイプが立設されている。このため、エア抜きパイプの高さ分だけ床下等の収容スペースの高さを高くする必要があった。
【０００５】
本発明は、上記事実に鑑み、収容スペースの高さを抑制することのできる貯留槽を提供することを目的とする。
【課題を解決するための手段】
【０００６】
請求項１に記載の貯留槽は、流入した排水を貯留する貯留空間を有し、軸心が上流から下流に向かって下向きに傾斜するように配置された管状の貯留部と、前記貯留部の軸方向の一端に設けられ前記上流からの前記排水が流入する流入口部と、前記貯留部の軸方向の他端において前記流入口部より低い位置に設けられ前記貯留部の前記排水を前記下流へ流出させる流出口部と、前記貯留部の側面に形成され、中心が前記流入口部の中心より上方に位置し、前記排水を前記貯留部外に越流させる越流口部と、を備えている。
【０００７】
上記構成によれば、中心が流入口部の中心より上方に位置する越流口部が、貯留部の側面に形成されている。このため、貯留部内の排水を越流口部から貯留部外に越流させることができるとともに、越流口部の高さが貯留部の上面より高くならないため、貯留槽全体の高さを抑制することができる。なお、貯留部の断面が正面視で円形状の場合、貯留部の側面とは円の最上部及び最下部以外の外周面を指し、貯留部の上面とは円の外周面の最上部を指す。また、流入口部及び越流口部の中心とは、流入口部及び越流口部の径方向断面の中心点を指す。
【０００８】
請求項２に記載の貯留槽は、上面に他の部分より高さが低い凹部が形成されており、流入した排水を貯留する貯留空間を有し、軸心が上流から下流に向かって下向きに傾斜するように配置された管状の貯留部と、前記貯留部の軸方向の一端に設けられ前記上流からの前記排水が流入する流入口部と、前記貯留部の軸方向の他端において前記流入口部より低い位置に設けられ前記貯留部の前記排水を前記下流へ流出させる流出口部と、前記凹部に形成され、中心が前記流入口部の中心より上方に位置し、前記排水を前記貯留部外に越流させる越流口部と、を備えている。
【０００９】
上記構成によれば、貯留部の上面に他の部分より高さが低い凹部が形成され、凹部に越流口部が形成されている。このため、貯留部内の排水を越流口部から貯留部外に越流させることができるとともに、越流口部の高さが貯留部の上面より高くならないため、貯留槽全体の高さを抑制することができる。
【００１０】
請求項３に記載の貯留槽は、請求項１又は２に記載の貯留槽において、前記貯留部は複数設けられており、複数の前記貯留部の前記越流口部は、それぞれ連通されている。
【００１１】
上記構成によれば、複数の貯留部の越流口部がそれぞれ連通されているため、貯留部の越流口部から越流した排水を隣接する他の貯留部に流出させることができ、貯留可能な水量を他の貯留部によって補うことができる。
【００１２】
請求項４に記載の貯留槽は、請求項１〜３のいずれか１項に記載の貯留槽において、前記流出口部は前記貯留部の端面に設けられており、前記越流口部は、前記流出口部が設けられている前記貯留部の端面に対向する端面に設けられている。
【００１３】
上記構成によれば、流出口部が設けられている貯留部の端面に対向する端面に越流口部が設けられている。このため、流出口部が設けられている下流側に越流口部が設けられている構成と比べて、下流側の排水が越流口部から貯留部外に越流する虞が少なく、下流側の水位を上昇させることができる。
【００１４】
請求項５に記載の貯留槽は、請求項１〜４のいずれか１項に記載の貯留槽において、前記流出口部は前記貯留部の端面に設けられており、前記流入口部は、前記流出口部が設けられている前記貯留部の端面に対向する端面に設けられている。
【００１５】
上記構成によれば、流出口部が設けられている貯留部の端面に対向する端面に流入口部が設けられている。このため、流入口部から流出口部へと排水を流下させることで流出口部が設けられている下流側の水勢が増し、下流側の水位を上昇させることができる。
【００１６】
請求項６に記載の貯留槽は、請求項１〜５のいずれか１項に記載の貯留槽において、前記越流口部には越流管が接続されており、前記越流管には通気口部が設けられている。
【００１７】
上記構成によれば、越流口部に接続された越流管に通気口部が設けられている。このため、排水を越流させる越流管によって貯留部内の空気を通気口部から貯留部外に逃がすことができ、越流管を通気用の管として用いることができる。
【発明の効果】
【００１８】
本発明によれば、収容スペースの高さを抑制することのできる貯留槽を提供することができる。
【図面の簡単な説明】
【００１９】
【図１】（Ａ）は本発明の第１実施形態に係る貯留槽を示す斜視図であり、（Ｂ）はその正面方向断面図である。
【図２】（Ａ）は本発明の第２実施形態に係る貯留槽を示す斜視図であり、（Ｂ）はその正面方向断面図である。
【発明を実施するための形態】
【００２０】
（第１実施形態）
本発明の第１実施形態に係る貯留槽１０について、図１を用いて説明する。
【００２１】
図１（Ａ）に示すように、貯留槽１０は、複数の貯留部１２と、貯留部１２の一端にそれぞれ一体的に形成された流入口部１４と、貯留部１２の他端にそれぞれ一体的に形成された流出口部１６と、流入口部１４の上方に一体的に形成された越流口部１８と、を備えている。
【００２２】
貯留部１２は、塩化ビニル樹脂から成る断面が円形状の管状部材１２Ａで構成されており、図１（Ｂ）に示すように、排水を貯留する貯留空間２０が内部に形成されている。本実施形態の貯留槽１０では、図１（Ａ）に示すように、同一形状の３個の貯留部１２が並列配置されている。なお、貯留部１２は、管状部材１２Ａの軸心が上流から下流に向かって下向きに傾斜するよう配置されている。
【００２３】
流入口部１４は、断面が円形状であり、貯留部１２を構成する管状部材１２Ａの長手方向一端面から水平方向に突出形成されている。流入口部１４の径方向の断面積は、管状部材１２Ａの長手方向一端面の面積より小さく、流入口部１４は一端面の下側部分に形成されている。また、流入口部１４には、流入管２２が連結されており、流入管２２を通して図示しない上流の水廻り器具等からの排水が流入する。
【００２４】
流出口部１６は、断面が円形状であり、貯留部１２を構成する管状部材１２Ａの長手方向他端面から水平方向に突出形成されている。流出口部１６の径方向の断面積は、管状部材１２Ａの長手方向他端面の面積より小さく、流出口部１６は他端面の下側部分に形成されている。なお、管状部材１２Ａの長手方向他端面の上側部分は、長手方向外側に突出する湾曲面とされている。
【００２５】
また、流出口部１６には流出管２４が連結されており、流出管２４の下流には図示しない合流継手が連結されている。貯留部１２内の排水が流出口部１６及び流出管２４を通して下流へ流出され、落差をもって満流の状態で排水されることで、上流側の排水を引き込む力であるサイホン力が発生する。
【００２６】
越流口部１８は、断面が円形状であり、貯留部１２を構成する管状部材１２Ａの長手方向一端面から水平方向に突出形成されている。越流口部１８の径方向の断面積は、管状部材１２Ａの長手方向一端面の面積、及び流入口部１４の径方向の断面積より小さく、越流口部１８は流入口部１４の上方かつ一端面の上側部分に形成されている。すなわち、越流口部１８の中心Ｍ２が流入口部１４の中心Ｍ１より上方に位置している。
【００２７】
また、越流口部１８には、塩化ビニル樹脂から成る越流管２６が接続されている。越流管２６は管状部材１２Ａの一端面に沿って水平方向に延びるよう配置されており、３個の貯留部１２の越流口部１８が越流管２６によってそれぞれ連通されている。貯留部１２内の排水の水位が越流口部１８の高さまで上昇すると、越流口部１８及び越流管２６を通して隣接する他の貯留部１２内へと排水が越流する。
【００２８】
越流管２６の外周面には通気口部２８が設けられている。通気口部２８は断面が円形状であり、通気口部２８の径方向の断面積は越流管２６の径方向の断面積より小さくされている。また、通気口部２８の中心は、越流管２６の中心より上方に位置している。
【００２９】
さらに、通気口部２８には通気管３０が連結されており、越流管２６及び通気管３０を通して貯留部１２内の空気を貯留部１２外へ逃がすことができる。なお、通気管３０は管状部材１２Ａの長手方向に沿って延びるよう配置されており、通気管３０の先端部は図示しない下流の竪管に接続されている。
【００３０】
本実施形態によると、貯留部１２を構成する管状部材１２Ａの上流側の一端面に流入口部１４、越流口部１８が形成され、下流側の他端面に流出口部１６が形成されている。また、管状部材１２Ａの軸心が、上流から下流に向かって下向きに傾斜するよう配置されている。
【００３１】
このため、流入口部１４から流出口部１６へと排水を効率よく流下させることができるとともに、下流側の排水が越流口部１８から貯留部１２外に越流する虞が少ない。したがって、流出口部１６が設けられている下流側の水位を効率よく上昇させることができ、サイホンの起動を早めることができる。また、貯留部１２内に水が残留することを抑制することができる。
【００３２】
なお、管状部材１２Ａの他端面の下側部分に流出口部１６が形成され、上側部分が湾曲面とされている。このため、管状部材１２Ａの上側部分の排水を湾曲面部分で分流させて循環させることにより、流入口部１４から流出口部１６へ向かう排水の流れが流出口部１６から流出されずに流入口部１４側へと向かう排水によって妨げられることを抑制することができ、効率よく流出口部１６から排水を流出させることができる。
【００３３】
また、越流口部１８が管状部材１２Ａの一端面に形成されており、越流口部１８に接続された越流管２６が管状部材１２Ａの一端面に沿って水平方向に延びるよう配置されている。このため、越流口部１８及び越流管２６の高さが管状部材１２Ａの上面の高さより高くなることが抑制され、貯留槽１０全体の高さを抑制することができ、貯留槽１０を収容する収容スペースの高さを抑制することができる。
【００３４】
また、３個の貯留部１２の貯留空間２０がそれぞれ越流管２６によって連通されており、越流管２６に通気口部２８が設けられている。このため、貯留部１２の越流口部１８から越流した排水を隣接する他の貯留部１２に流出させることができるとともに、越流管２６によってそれぞれの貯留部１２内の空気を通気口部２８から逃がすことができる。
【００３５】
（第２実施形態）
次に、本発明の第２実施形態に係る貯留槽４０について、図２を用いて説明する。なお、第１実施形態と同様の構成については、同じ符号を付して説明を省略する。
【００３６】
図２（Ａ）に示すように、貯留槽４０は、複数の貯留部４２と、貯留部４２の一端にそれぞれ一体的に形成された流入口部４４と、貯留部４２の他端にそれぞれ一体的に形成された流出口部４６と、貯留部４２の上面に一体的に形成された越流口部４８と、を備えている。
【００３７】
貯留部４２は、断面が円形状の管状部材４２Ａで構成されており、図２（Ｂ）に示すように、排水を貯留する貯留空間５０が内部に形成されている。また、貯留部４２を構成する管状部材４２Ａの上面の長手方向中央部分には、上面の他の部分より高さが低くされた凹部５２が形成されている。
【００３８】
なお、本実施形態の貯留槽４０では、図２（Ａ）に示すように、３個の同一形状の貯留部４２が並列配置されている。また、貯留部４２は、管状部材４２Ａの軸心が上流から下流に向かって下向きに傾斜するよう配置されている。
【００３９】
管状部材４２Ａの長手方向一端面には、流入管２２が連結された流入口部４４が突出形成されている。また、管状部材４２Ａの長手方向他端面には、流出管２４が連結された流出口部４６が突出形成されている。
【００４０】
また、管状部材４２Ａの凹部５２の底面には、円形状の越流口部４８が形成されており、越流口部４８には越流管５４が接続されている。なお、越流口部４８の中心Ｍ２は、流入口部４４の中心Ｍ１より上方に位置している。越流管５４は、越流口部４８から垂直方向（上方）に立ち上がって管状部材４２Ａの長手方向に直交するよう水平方向に延びており、３個の貯留部４２の越流口部４８が越流管５４によってそれぞれ連通されている。
【００４１】
なお、水平方向に延びる越流管５４の中心は、管状部材４２Ａの上面の高さより低い位置とされている。また、越流管５４の外周面には、通気管３０が連結された通気口部５６が設けられている。
【００４２】
本実施形態によると、貯留部４２を構成する管状部材４２Ａの上面に凹部５２が形成され、凹部５２に越流口部４８が形成されている。このため、凹部５２を形成せずに管状部材４２Ａの上面に越流口部４８を形成する構成に比べて、管状部材４２Ａの上面からの越流管５４の突出高さを抑制することができ、貯留槽４０全体の高さを抑制することができ、貯留槽４０を収容する収容スペースの高さを抑制することができる。
【００４３】
（その他の実施形態）
なお、本発明について実施形態の一例を説明したが、本発明はかかる実施形態に限定されるものではなく、本発明の範囲内にて他の種々の実施形態が可能である。
【００４４】
例えば、上記実施形態では、貯留部１２、４２が断面円形状の管状部材１２Ａ、４２Ａで構成され、３個の同一形状の貯留部１２、４２が並列配置されていた。しかし、貯留部１２、４２の数及び形状は、必要となる貯留空間２０、５０の容量等によって適宜定めればよい。
【００４５】
また、上記実施形態では、越流口部１８、４８全体が流入口部１４、４４より上方に位置していたが、少なくとも越流口部１８、４８の中心Ｍ２が流入口部１４、４４の中心Ｍ１より上方に位置していればよい。
【００４６】
また、管状部材１２Ａ、４２Ａの一端面に流入口部１４、４４が形成され、他端面に流出口部１６、４６が形成されていたが、流入口部１４、４４及び流出口部１６、４６の位置は上記には限られず、管状部材１２Ａ、４２Ａの長手方向中央部分等に形成されていてもよい。さらに、第２実施形態において、管状部材４２Ａの上面の長手方向中央部分に凹部５２が形成されていたが、上面のどの部分に凹部５２が形成されていてもよい。
【００４７】
また、上記実施形態では、貯留部１２、４２の越流口部１８、４８が越流管２６、５４によってそれぞれ連通されていたが、越流口部１８、４８同士が直接連通されていてもよい。また、越流管２６、５４に通気口部２８、５６が形成されていなくてもよく、その場合、貯留部１２、４２内の空気を隣接する他の貯留部１２、４２へと逃がす構成とされていてもよい。
【００４８】
また、上記実施形態では、貯留部１２、４２を構成する管状部材１２Ａ、４２Ａ、及び越流管２６、５４が塩化ビニル樹脂で構成されていたが、これに限られず、金属やその他の樹脂等、種々の材質を用いて構成されていてもよい。
【符号の説明】
【００４９】
１０、４０    貯留槽
１２、４２    貯留部
１４、４４    流入口部
１６、４６    流出口部
１８、４８    越流口部
２０、５０    貯留空間
２６、５４    越流管
２８、５６    通気口部
５２          凹部
【図１】
0006454526.tif 000002
【図２】
0006454526.tif 000003